(57)【要約】      （修正有）【課題】少なくとも１つのワイヤに取り付けられる複数の個々の独立したシェーディングユニットで構成されるシェーディングシステムを提供する。【解決手段】システムは、少なくとも１つの吊りワイヤと、複数のシェーディングユニットであって、複数のシェーディングユニットのそれぞれが、同じ平面上にない上側セクションおよび下部セクションを備える複数のシェーディングユニットと、複数の取付コネクタを備える。少なくとも１つの吊りワイヤは、グラウンドエリアの上方に吊るされるように適合され、複数のシェーディングユニットのそれぞれが、上側セクションに接続された１つ以上の取付コネクタを介して、少なくとも１つの吊りワイヤの単一の吊りワイヤに取り付けられるように適合され、それぞれのシェーディングユニットが、空気の動きによって傾くことができるようになっている。【選択図】図１１Ａ
2020101074.tif 000002
【特許請求の範囲】
【請求項１】
グラウンドエリア下を遮光するシェーディングシステム（１００）であって、前記システム（１００）は、
ａ）少なくとも１つの吊りワイヤ（１２０）と、
ｂ）複数のシェーディングユニット（１１０）であって、前記複数のシェーディングユニット（１１０）のそれぞれが、同一平面上にない上側セクションおよび下側セクションを備える、複数のシェーディングユニット（１１０）と、
ｃ）複数の取付コネクタ（１２１）と、
を備え、
前記少なくとも１つの吊りワイヤ（１２０）は、前記グラウンドエリアの上方に吊るされるように適合され、前記複数のシェーディングユニット（１１０）のそれぞれが、それぞれのシェーディングユニット（１１０）の上側セクションに接続された１つ以上の取付コネクタ（１２１）を介して、前記少なくとも１つの吊りワイヤ（１２０）の単一の吊りワイヤ（１２０）に取り付けられるように適合され、それぞれのシェーディングユニット（１１０）が、空気の動きによって傾くことができるようになっている、シェーディングシステム（１００）。
【請求項２】
請求項１に記載のシェーディングシステム（１００）であって、同じ平面上にない右側セクションおよび左側セクションをさらに備える、シェーディングシステム（１００）。
【請求項３】
請求項１または２に記載のシェーディングシステム（１００）であって、前記複数のシェーディングユニット（１１０）のシェーディングユニット（１１０）は、その一体部分として、上側セクションに１つ以上の取付コネクタ（１２１）をさらに備える、シェーディングシステム（１００）。
【請求項４】
請求項１から３のいずれか１項に記載のシェーディングシステム（１００）であって、前記複数のシェーディングユニット（１１０）のいくつかまたは全部が穿孔されている、シェーディングシステム（１００）。
【請求項５】
請求項１から４のいずれか１項に記載のシェーディングシステム（１００）であって、前記複数のシェーディングユニット（１１０）のいくつかまたは全部が、前記少なくとも１つの吊りワイヤ（１２０）に取り外せない方法で取り付けられる、シェーディングシステム（１００）。
【請求項６】
請求項１から５のいずれか１項に記載のシェーディングシステム（１００）であって、複数の吊りワイヤ（１２０）は、ネットの要素である、シェーディングシステム（１００）。
【請求項７】
請求項１から５のいずれか１項に記載のシェーディングシステム（１００）であって、複数の吊りワイヤ（１２０）が互いに平行に吊り下げられる、シェーディングシステム（１００）。
【請求項８】
単一の吊りワイヤ（１２０）に取り付けるように、請求項１から７のいずれか１項に記載のシェーディングシステム（１００）と共に使用するように適合されたシェーディングユニット（１１０）であって、同じ平面上にない上側セクションおよび下側セクションを備える、シェーディングユニット（１１０）。
【請求項９】
グラウンドエリアを遮光する方法であって、前記方法は、
ａ）本質的に互いに平行に１つ以上の吊りワイヤ（１２０）を吊り下げて張るステップと、
ｂ）同じ平面上にない上側セクションおよび下側セクションを備えるシェーディングユニット（１１０）を、それぞれのシェーディングユニット（１１０）の上側セクションに接続された１つ以上の取付コネクタ（１２１）を介して、前記ワイヤ（１２０）に取り付けられるように適合され、それぞれのシェーディングユニット（１１０）が、空気の動きによって傾くことができるようになっている、ステップと、
を含む方法。
【請求項１０】
グラウンドエリアを遮光する方法であって、前記方法は、
ａ）請求項５に記載のシェーディングシステム（１００）を提供するステップと、
ｂ）前記吊りワイヤ（１２０）を吊り下げて張るステップと、
ｃ）必要に応じて追加のシェーディングユニット（１１０）を前記ワイヤ（１２０）に取り付けるステップと、
を含む方法。
【請求項１１】
シェーディングシステム（１００）であって、
ａ）一連のシェーディングユニットを作り出すように互いに連続的に接続されるように設計された複数のシェーディングユニット（１１０）であって、それぞれのシェーディングユニット（１１０）は、同じ平面上にない上側セクションおよび下側セクションを備える、複数のシェーディングユニット（１１０）と、
ｂ）１つのシェーディングユニット（１１０）の上側セクションを次のシェーディングユニット（１１０）の上側セクションまたは支持体に接続するための複数の接続要素（１１５）と、
を備え、
前記複数のシェーディングユニット（１１０）のそれぞれが、空気の動きによって傾くことができるようになっている、シェーディングシステム（１００）。
【請求項１２】
請求項１１のシェーディングシステム（１００）であって、前記複数の接続要素（１１５）の少なくとも１つは、前記複数のシェーディングユニット（１１０）のそれぞれのシェーディングユニット（１１０）の一体部分であり、その前記上側セクションに接続／配置される、シェーディングシステム（１００）。
【請求項１３】
請求項１１または１２のシェーディングシステム（１００）であって、それぞれのシェーディングユニット（１１０）と前記接続要素（１１５）との間のばね要素をさらに備える、シェーディングシステム（１００）。
【請求項１４】
エリアを遮光する方法であって、前記方法は、
ａ）請求項１１から１３のいずれか１項に記載のシェーディングシステムを提供するステップと、
ｂ）任意的に接続要素（１１５）および固定手段（１１６）を用いることによって、シェーディングユニット（１１０）のラインを作り出すように前記シェーディングユニット（１１０）を順次接続するステップと、
ｃ）２つの適切な支持点の間で、シェーディングユニット（１１０）の前記ラインを吊り下げて張るステップと、
を含む方法。
【発明の詳細な説明】
【技術分野】
【０００１】
本発明は、一般に、シェーディングシステムに関し、より詳細には、複数の個別の独立したシェーディングユニットを備えるシェーディングシステムに関する。
【背景技術】
【０００２】
本発明は、複数の独立したシェーディングユニットが取り付けられる、１つまたは複数の吊りワイヤを有する吊りフレーム／ネットを備え、それぞれの独立したシェーディングユニットが単一の吊りワイヤに取り付けられる、シェーディングシステムに関する。そのようなシェーディングシステムは、例えば建物のテラスおよびスタジアムの段、庭園のようなオープンエリア、オープンスペース、さらには街路、公園等の遮光エリアに使用することができる。
【０００３】
様々なシェーディングシステムおよびサンシェードが、長年にわたって開発されてきたが、それらは、様々な欠点および不都合な点を被る。例えば、最も一般的なシステムは、遮光される所望のエリアに広がるシェーディングシートを含む。しかしながら、そのようなシートは、それらの下に暖かい／湿った空気を保つ傾向があり、その結果、それらがより日陰を作るほど、より多くの虫／湿った空気がそれらの下に閉じ込められる。さらに、シェーディングシートは、風によって加えられる力を受けやすく、強い風が吹くときに裂ける可能性があり、シートがより大きいほど、より多くの力がそれに加えられ、それはシートをより裂けやすくする。さらに、これらのシェーディングシートのいくつかは、雨水が流れ出ることを可能にして水ポケットの形成を防ぐ角度で設置される必要があり、それは追加の圧力をその上に加える。他のシステムは、必要性および太陽の角度に応じて陰の量を制御するために折り畳みブラインドを使用するが、それらは、精巧で費用のかかる用意およびフレーム化、機械的技術、およびしばしば動力源も必要とする。さらに、今日使用されているほとんどのサンシェードは、サンシェードを加熱する直射日光により遮光エリアに向けて熱を照射する。
【０００４】
シェーディングの代替アプローチは、特許文献１および特許文献２に記載されているような、平行なストリングに取り付けられた複数のシェーディングユニットの使用を含む。しかしながら、これらのシステムは、太陽の移動中および／または風がユニットを移動させるときに一定のシェードを提供しない直線シェーディングユニットを使用する。
【先行技術文献】
【特許文献】
【０００５】
【特許文献１】中国特許第２０３７６１９０３号
【特許文献２】国際公開第２０１１／０５５４７６号
【０００６】
本発明は、グラウンドエリア下を遮光するシェーディングシステム１００を提供し、システム１００は、（ａ）少なくとも１つの吊りワイヤ１２０と、（ｂ）複数のシェーディングユニット１１０であって、前記複数のシェーディングユニット１１０のそれぞれが、同じ平面上にない上側セクションおよび下部セクションを備える、複数のシェーディングユニット１１０と、（ｃ）複数の取付コネクタ１２１と、を備え、前記少なくとも１つの吊りワイヤ１２０は、前記グラウンドエリアの上方に吊るされるように適合され、前記複数のシェーディングユニット１１０のそれぞれが、それぞれのシェーディングユニット１１０の上側セクションに接続された１つ以上の取付コネクタ１２１を介して、前記少なくとも１つの吊りワイヤ１２０の単一の吊りワイヤ１２０に取り付けられるように適合され、それぞれのシェーディングユニット１１０が、空気の動きによって傾くことができるようになっている。
【０００７】
本発明は、単一の吊りワイヤに取り付けるように本発明のシェーディングシステム１００と共に使用するシェーディングユニット１１０をさらに提供し、シェーディングユニット１１０は、同じ平面上にない上側セクションおよび下側セクションと、任意的に、同じ平面上にない右側セクションおよび左側セクションと、を備える。
【０００８】
本発明は、エリアを遮光する方法をさらに提供し、この方法は、（ａ）太陽の移動方向に従って互いに平行に１つ以上の吊りワイヤ１２０を吊り下げて張るステップと、（ｂ）本発明のシェーディングユニット１１０をワイヤ１２０に取り付けるステップと、（ｃ）任意的に、ストッパ１１４を使用して、シェーディングユニット１１０のそれぞれをワイヤ１２０に固定するステップと、を含む。
【図面の簡単な説明】
【０００９】
【図１】図１Ａ−Ｃは、本発明のシェーディングユニットの１つの特定の実施形態を示し、図１Ａは正面図であり、図１Ｂは側面図であり、図１Ｃは背面図である。
【図２Ａ】本発明によるシェーディングシステムの実施形態を示し、ワイヤに取り付けられた２つのシェーディングユニットを示す正面図である。
【図２Ｂ】本発明によるシェーディングシステムの実施形態を示し、ワイヤに取り付けられた図２Ａの単一のシェーディングユニットの側面図である。
【図２Ｃ】本発明によるシェーディングシステムの実施形態を示し、本発明によるシェーディングユニットの異なる可能な構造の正面図である。
【図２Ｄ】本発明によるシェーディングシステムの実施形態を示し、本発明によるシェーディングユニットの異なる可能な構造の正面図である。
【図２Ｅ】本発明によるシェーディングシステムの実施形態を示し、本発明によるシェーディングユニットの異なる可能な構造の正面図である。
【図２Ｆ】本発明によるシェーディングシステムの実施形態を示し、本発明によるシェーディングユニットの異なる可能な構造の正面図である。
【図２Ｇ】本発明によるシェーディングシステムの実施形態を示し、ワイヤに取り付けられた図２Ｆの単一のシェーディングユニットの側面図である。
【図３】図３Ａ−３Ｃは、シェーディングユニットがばね機構を介して主ケーブルに取り付けられる本発明のシェーディングシステムの実施形態を示す。
【図４】図４Ａ−４Ｂは、本発明のシェーディングシステムのシェーディングユニットの高温気流（４Ａ）および動力学／運動（４Ｂ）を示す。
【図５】本発明のシェーディングシステムによって作り出されるシェーディングプロファイルを示す。
【図６Ａ】本発明のシェーディングシステムを使用したときに作り出されるシェーディング量のフレキシビリティを示す。
【図６Ｂ】本発明のシェーディングシステムを使用したときに作り出されるシェーディング量のフレキシビリティを示す。
【図７Ａ】シェーディングユニットが主ケーブルなしで共に組み立てられる本発明のシェーディングシステムの実施形態を示す、３次元図である。
【図７Ｂ】シェーディングユニットが主ケーブルなしで共に組み立てられる本発明のシェーディングシステムの実施形態を示す、側面図である。
【図７Ｃ】シェーディングユニットが主ケーブルなしで共に組み立てられる本発明のシェーディングシステムの実施形態を示す、上面図である。
【図８】シェーディングユニットが主ケーブルなしで共に組み立てられる本発明のシェーディングシステムの別の実施形態を示す。
【図９】図９Ａ−９Ｃは、シェーディングユニットが、単一の接続を介して吊りワイヤのネットに取り付けられる、本発明のシェーディングシステムの実施形態を示し、図９Ａは側面図であり、図９Ｂは上面図であり、図９Ｃは、複数のケーブルおよび複数のシェーディングユニットを有する本発明によるシェーディングシステムの３次元図であり、それぞれのシェーディングユニットが複数のケーブルの１つのみに取り付けられている。
【図１０】図１０Ａ−１０Ｄは、本発明によるシェーディングユニットの一実施形態を示し、図１０Ａは３次元図であり、図１０Ｂは側面図であり、図１０Ｃは正面図であり、図１０Ｄは後面図である。
【図１１Ａ】本発明によるシェーディングシステムの一実施形態を示し、図１０のシェーディングユニットが吊りワイヤのネットに取り付けられている、３次元図である。
【図１１Ｂ】本発明によるシェーディングシステムの一実施形態を示し、図１０のシェーディングユニットが吊りワイヤのネットに取り付けられている、側面図である。
【図１２】図１２Ａ−１２Ｂは、図１１に示される吊りワイヤネットに取り付けられた単一のシェーディングユニットを示し、シェーディングユニットの前後の動きを示す（図１２Ｂ）。
【発明を実施するための形態】
【００１０】
本発明は、複雑な構造および重力および風に引かれる効果を回避しながら、動的遮光も熱換気も可能にする効率的なシェーディングシステム１００を提供することを目的とする。
【００１１】
サンシェードを組み立てるとき、太陽の移動角度、遮光が必要なエリア、風速を考慮に入れる必要がある。一般に、遮光が必要なエリアが大きいほど、そのエリア上に広げられるサンシェードに加えられるモーメント力により、標準的なサンシェードに対する風および重力の影響が大きくなる。重力およびモーメント力は、サンシェードシートを中央に沈め、周囲の縁部を引っ張り、それは、シェーディングシートを緩め、シェーディングシートの固定点に引張力を加える。その結果、広いエリアを遮光するとき、サンシェードシートの沈み込みを防止し、引張力を固定点間に分散させるために、大きな構造および／または複数の支持アンカーまたは取付ビームが必要とされる。他の代替案は、シェーディングシートの中央に支持ポールを追加すること、またはシェーディングシートまたは中実シェーディングユニットを保持するために中実構造フレームを使用することである。
【００１２】
本発明は、単一の吊りワイヤ１２０に、または複数の本質的に平行なワイヤ１２０に、またはそのような吊りワイヤ１２０のネットに取り付けられ（例えば、図９Ｃおよび１１を参照）、それぞれのシェーディングユニット１１０が単一のワイヤに搭載される／取り付けられる、別個の独立した軽量シェーディングユニット１１０を使用することによって、上記の効果および欠点を除去する。従って、本発明は、吊りワイヤまたはそのネット１２０に取り付けられた２つ以上のシェーディングユニット１１０を備えるシェーディングシステム１００を提供する。
【００１３】
従って、本発明は、（ａ）少なくとも１つの吊りワイヤ１２０と、（ｂ）少なくとも１つの吊りワイヤ１２０に取り付けられるように設計された複数のシェーディングユニット１１０と、を備えるシェーディングシステム１００を最初に提供し、それぞれのシェーディングユニット１１０は、（ｉ）上側セクション１１１および下側セクション１１２であって、２つのセクション間のアーチ／角度が９１°から１７９°の間である（図１および図２の“Ｙ”参照）、上側セクション１１１および下側セクション１１２と、（ｉｉ）任意的に、右側セクションおよび左側セクションであって、２つのセクション間のアーチ／角度が９１°から１７９°の間である（図１および図２の“Ｘ”参照）、右側セクションおよび左側セクションと、を備える。
【００１４】
本発明は、本質的に水平なエリアを遮光するためのシェーディングシステム１００をさらに提供し、システム１００は、（ａ）少なくとも１つの吊りワイヤ１２０と、（ｂ）複数のシェーディングユニット１１０と、を備え、複数のシェーディングユニット１１０のそれぞれは、少なくとも１つの吊りワイヤ１２０に取り付けられるように設計され、それぞれのシェーディングユニット１１０は、（ｉ）上側セクションおよび下側セクションであって、２つのセクション間のアーチ／角度が９１°から１７９°の間である、上側セクションおよび下部セクションと、（ｉｉ）任意的に、右側セクションおよび左側セクションであって、２つのセクション間のアーチ／角度が９１°から１７９°の間である、右側セクションおよび左側セクションと、を備え、複数のシェーディングユニット１１０のそれぞれは、指定された取付コネクタ１２１を介して少なくとも１つの吊りワイヤ１２０に取り付けられ、コネクタ１２１が、シェーディングユニット１１０を吊りワイヤ１２０上で傾くことができるようにしている。
【００１５】
本明細書で使用される「本質的に水平なエリア」という用語は、山／丘の斜面、裏庭、街路、バルコニーなどの任意の角度および寸法のエリアを指す。なお、遮光されるエリアは、完全に水平である必要はなく、表面の向きに応じて任意の角度を有することができる。
【００１６】
本発明は、グラウンドエリア下を遮光するシェーディングシステム１００をさらに提供し、システム１００は、（ａ）少なくとも１つの吊りワイヤ１２０と、（ｂ）複数のシェーディングユニット１１０であって、前記複数のシェーディングユニット１１０のそれぞれが、同じ平面上にない上側セクションおよび下側セクションを備える、複数のシェーディングユニット１１０と、（ｃ）複数の取付コネクタ１２１であって、前記少なくとも１つの吊りワイヤ１２０が、前記グラウンドエリアの上方に吊るされるように適合され、前記複数のシェーディングユニット１１０のそれぞれが、それぞれのシェーディングユニット１１０の上側セクションに接続される１つ以上の取付コネクタ１２１を介して前記少なくとも１つの吊りワイヤ１２０の単一の吊りワイヤ１２０に取り付けられるように適合され、それぞれのシェーディングユニット１１０が、空気の動きによって傾くことができるようになっている、複数の取付コネクタ１２１と、を備える。
【００１７】
遮光されるエリアを記述するために本明細書で使用される「グラウンドエリア」という用語は、歩くことができる任意のエリアのことを指し、実際の地面、道路、歩道、庭園、野原、バルコニー、テラス、屋上、競技場などを含むが、これらに限定されない。
【００１８】
本発明のシェーディングシステム１００の特定の実施形態では、シェーディングユニット１１０は、同じ平面上にない右セクションおよび左セクションをさらに備える。
【００１９】
本明細書で使用される「同じ平面」という語は、アーチ状になったり、曲がったり、またはある角度で折り畳まれたりしない、真っ直ぐな、すなわち１８０°の平面を意味する。従って、本発明によるシェーディングユニット１１０は、（明確な角度のない）湾曲した形状、角度のある形状、すなわち、それらの上側セクションと下側セクションとの間に、および任意的にそれらの左側セクションと右側セクションとの間に明確な角度を有する、または湾曲した形状も角度のある形状も有するように、設計される。上側セクションと下側セクションの先端の間（および左側セクションと右側セクションの間）に仮想線を形成するときの特定の実施形態では、仮想長方形が形成され、２つのセクション間の接続箇所に湾曲箇所または傾斜箇所を有し、前記湾曲箇所または傾斜箇所は、９１°から１７９°である。
【００２０】
本発明は、シェーディングシステムを使用してエリアを遮光するために使用される個々のシェーディングユニット１１０をさらに提供し、それぞれのシェーディングユニット１１０は、（ａ）上側セクションおよび下側セクションであって、２つのセクション間のアーチ／角度が９１°から１７９°である（図１および図２の“Ｙ”参照）、上側セクションおよび下側セクションと、（ｂ）任意的に、右側セクションおよび左側セクションであって、２つのセクション間のアーチ／角度が９１°から１７９°の間である（図１および図２の“Ｘ”参照）、右側セクションおよび左側セクションと、を備える。
【００２１】
本発明のシステム１００の特定の実施形態では、シェーディングユニット１１０の少なくとも一部または全部が、少なくとも１つの吊りワイヤ１２０に取り外せない方法で取り付けられる。そのような構成では、必要に応じて、例えば、あるエリアでの遮光効果を高めるために、追加のシェーディングユニット１１０が吊りワイヤ１２０に取り付けられ得ることに留意されたい。さらなる特定の実施形態では、シェーディングユニット１１０は、例えば遮光を必要としないエリアの上方のユニット１１０を除去するために、必要に応じて、ワイヤ１２０に沿って動かされてよい、または完全に除去されてよい。
【００２２】
本明細書で使用される「アーチ／角度」という用語は、本発明のシェーディングユニット１１０の異なる部分／セクション間の、それらの連結／境界線における関係を説明することを目的とする。従って、２つのセクションは、ある角度で（例えば、図２Ａ−２Ｃおよび２Ｅ参照）、または角度よりもむしろアーチを形成する湾曲した仕方（例えば、図２Ｇ、２Ｆ、３および９−１２参照）のいずれかで互いに接続され得る。
【００２３】
ある実施形態では、システム１００内のそれぞれのシェーディングユニット１１０は、２つのセクション、すなわち、グラウンドに垂直な第１のセクションと、ある角度（典型的に９０度を超えるが１７９度未満）で第１の部分に接続された第２のセクションと、から構成される。特定の実施形態では、それぞれのシェーディングユニット１１０は、単一の材料シートで作られる。代替実施形態では、それぞれのシェーディングユニット１１０は、共に取り付けられる２つ、３つ、４つまたはそれ以上の別個のユニットで作られ、その最終的な３次元形状を得る。
【００２４】
ある実施形態では、図２Ａ−２Ｆおよび８−１０に示されているように、本発明のシェーディングユニット１１０の形状は、（例えば美的目的のために）必要および所望に応じて、例えばセクション（上側／下側および右側／左側）の明確な分離のない葉のように、変化することができる（例えば、図２Ｄ参照）。
【００２５】
ある実施形態では、上側セクションと下側セクションとの間のアーチ／角度は、９５°から１７５°、１１０°から１６５°、１１０°から１５５°、１１０°から１４５°、１１０°から１３５°、１１０°から１２５°、である。特定の実施形態では、角度は１１１°である。
【００２６】
ある実施形態では、右セクションと左セクションとの間のアーチ／角度は、１８０°である、すなわち、直線であるか、または角度がない。代替実施形態では、角度は９５°から１７５°、１１０°から１６５°、１１０°から１５５°、１１０°から１４５°、１１０°から１３５°、１１０°から１２５°である。そのような角度の目的は、ユニット１１０に構造的強度を提供することである。しかしながら、そのような構造強度は、支持ロッドおよび／またはシェーディングユニット１１０の材料内に埋め込まれた強化材料／ワイヤなどの、他の手段によっても得ることができる（例えば図２Ｅの１１８参照。ユニット１１０に構造的強度を提供する別の代替的または追加的方法は、そのような機械的および構造的強度を提供する特有の３次元構造で、それを製造することであり、例えば葉である（図２Ｄ）。ユニット１１０に構造的強度を提供する別の代替的または追加的方法は、機械的強度も構造的強度も提供する剛性材料からそれを製造することである。本発明のシェーディングユニット１１０を強化する上記の例は、単に例示目的であり、ユニット１１０を強化することができる任意の他の適切な技術、例えば、ステッチの強化、棒で強化された剛性または半剛性材料など、を当業者が同様に使用可能であることに、留意されたい。
【００２７】
シェーディングユニット１１０は、その最終形状の作製を可能にする剛性材料で作られることに留意されたい。従って、本発明のシェーディングユニット１１０は、プラスチック、ポリカーボネート、金属、木材、ゴムなどの、任意の剛性または半剛性材料から作られることができ、それは、好ましくは、軽量の、アルミニウム、プラスチック、またはポリカーボネートなどの何らかのポリマーなどである。
【００２８】
ある実施形態では、本発明のシェーディングユニット１１０は、切断されて使用前にユニットの最終的な３次元形状に折り畳まれるように設計された材料の平坦なシートから製造される。これは、収納空間を節約すること、およびシステムの輸送を助けることを可能にする。別のまたは代替実施形態では、シェーディングユニット１１０は、空間を節約するためにコンパクトな仕方で一方を他方の上に／他方の中に積むことができるように、設計される。
【００２９】
上記の実施形態のいずれかによるシェーディングシステム１００のある実施形態では、それぞれのシェーディングユニット１１０は、単一の吊りワイヤ１２０に搭載／吊り下げ／取り付けられる。ある実施形態では、それぞれの吊りワイヤ１２０は、単一のワイヤで構成される。特定の代替実施形態では、それぞれの吊りワイヤ１２０は、それぞれのシェーディングユニット１１０が搭載されるように、一対の平行なワイヤで構成され（例えば、図３Ａ参照）、任意的に１つ以上の専用コネクタ１２１を使用する。特定の実施形態では、コネクタは、ばねまたはばね状機構を備えるか、またはそれから構成され、それは、それぞれのシェーディングユニット１１０の運動（すなわち、前後および任意的に横の傾斜）を、他のシェーディングユニットから独立して可能にする。そのようなコネクタ１２１は、それぞれのシェーディングユニットに取り付けられてよい、またはその一体部分であってよい。代替的に、それらは、ワイヤ１２０の一体部分であってよい。そのようなコネクタ１２１は、クリップなどの任意の適切な取付手段を使用してワイヤ１２０に取り付けられてよい、または組み立て前にワイヤに紐で結んでよい。
【００３０】
上記の実施形態のいずれかのシェーディングシステム１００のある実施形態では、それぞれのシェーディングユニット１１０は、単一のワイヤ１２０に取り付けられ、他のシェーディングユニット１１０から独立して、前後に、任意的に横に傾斜することができる。それぞれシェーディングユニット１１０の傾斜は、残りのシェーディングユニット１１０の傾斜から独立している。
【００３１】
ある実施形態では、上記実施形態のいずれかによる本発明のシェーディングユニット１１０は、上側セクションの上面に鳥除け構造体１１３をさらに備える。そのような鳥除け構造体１１３は、ユニット１１０の上面に取り付けられた追加物であってよい、またはユニットの上面をスパイク状要素に切断することによって形成されてよい（図１−２参照）。
【００３２】
ある実施形態では、上記の実施形態のいずれかによる本発明のシェーディングユニット１１０は、穿孔されている（例えば、図１０−１２参照）。ユニット１１０のそのような穿孔により、風を通過させることができ、風の影響を排除／低減し、シェーディングシステム１００およびワイヤ１２０全体に加えられるモーメントおよび引張力を低減することができる。シェーディングユニット１１０の穿孔は、ユーザの所望に応じて任意の構成とすることができ、例えば、遮光されるエリア内の異なる位置での風速、およびユーザの装飾的／飾りの要望によって影響を受け得ることに、留意されたい。例えば、単一のシェーディングユニット１１０に、１、２、３、４、５、６、７、８、９、１０個以上の孔があり得る。孔の数は、単一のシェーディングシステム１００内の異なるシェーディングユニット１１０の間で変わり得ることに、留意されたい。
【００３３】
ある実施形態では、本発明のシェーディングユニット１１０は、使用準備が整うと、正面または背面から見たときに長方形の形状を呈し、側面から見たときに平行四辺形の形状を呈する。図１Ａ−１Ｃは、本発明によるシェーディングユニット１１０の一実施形態が、どのようにして使用可能な状態で折り畳まれるかを示す。本発明のシェーディングユニット１１０は、収納スペースおよび輸送コストを低減するために、平坦な材料シートとして製造することができ、材料シートは、使用する前に、すなわちワイヤ１２０に吊るされる前に、材料シートを切断し、シェーディングユニット１１０の最終的な３次元形態に折り畳むための切断および折り曲げ線を有することに、留意されたい。
【００３４】
ある実施形態では、本発明によるシェーディングユニット１１０の、すぐに使用できる折り畳み形態での、上から下までの長さの寸法は、１から１２０ｃｍである。ユニット１１０の寸法は、２つの隣り合うユニット１１０間の距離に影響を及ぼし、ユニット１１０間の比率が、位置の緯度における太陽の角度およびユニット１１０の長さに従って保たれるようになっている。ユニット１１０の寸法と２つの隣り合うユニット１１０間の距離との比率は、例えば、プラントの要件、ユーザの要望などに従って、最適かつ所望の遮光が得られるようになっている。従って、より少ない遮光が必要とされる場合、比率は増加することができ、逆もまた同様である。
【００３５】
特定の実施形態では、本発明によるシェーディングユニット１１０の、すぐに使用できる３次元形態での上から下までの長さの寸法は、１から３０ｃｍ、１から２５ｃｍ、１から２０ｃｍ、１から１５ｃｍ、１から１０ｃｍ、１から５ｃｍ、２から３０ｃｍ、３から３０ｃｍ、４から３０ｃｍ、５から３０ｃｍ、１０から３０ｃｍ、１５から３０ｃｍ、２０から３０ｃｍ、２５から３０ｃｍ、である。
【００３６】
特定の実施形態では、本発明によるシェーディングユニット１１０の、すぐに使用できる折り畳み形態での上から下までの長さの寸法は、３０から７０ｃｍ、３０から６５ｃｍ、３０から６０ｃｍ、３０から５５ｃｍ、３０から５０ｃｍ、３０から４５ｃｍ、３０から４０ｃｍ、３５から７０ｃｍ、４０から７０ｃｍ、４５から７０ｃｍ、５０から７０ｃｍ、５５から７０ｃｍ、または６０から７０ｃｍである。
【００３７】
さらに他の代替的な特定の実施形態では、本発明によるシェーディングユニット１１０の、すぐに使用できる折り畳み形態での上から下までの長さの寸法は、７０から１２０ｃｍ、８０から１１０ｃｍ、９０から１００ｃｍ、または９５ｃｍである。
【００３８】
ある実施形態では、上側セクションは、下側セクションよりも長い。代替実施形態では、下側セクションは、上側セクションよりも長い。他の代替実施形態では、下側セクションと上側セクションは、同じ長さである。例えば、ある実施形態では、本発明によるシェーディングユニット１１０の上側部分の寸法は、長さが１５から４０ｃｍ、２０から３５ｃｍ、２５から３０ｃｍ、または２８ｃｍであり、本発明によるシェーディングユニット１１０の下側部分の寸法は、長さが、６０から９０ｃｍ、６５から８５ｃｍ、７０から８０ｃｍ、または７７ｃｍである。
【００３９】
本発明のシェーディングユニット１１０は、遮光が必要なエリアに張り渡された複数のワイヤ１２０のうちの１つのワイヤ１２０に取り付けられるように設計されていることに、留意されたい。従って、本発明は、（ａ）上記の実施形態のいずれか１つによる２つ以上のシェーディングユニット１１０と、（ｂ）少なくとも１つの吊りワイヤ１２０と、を備えるシェーディングシステム１００を提供する。
【００４０】
ある実施形態では、シェーディングユニット１１０の数および２つの隣り合うユニット１１０間の距離は、要望、遮光を必要とするエリアの寸法、および／または遮光されるエリア内のそれぞれのエリアの遮光要件／所望の密度に従って変化し得る。特定の実施形態では、単一のワイヤ１２０に取り付けられるシェーディングユニット１１０の数は、２から５０であり、２つの隣り合うユニット１１０間の距離は、約０ｍｍから約３０ｃｍ、約１０ｍｍから約２５ｃｍ、約２０から約２０ｃｍ、、約２０から約３０ｍｍ、約２５から約３０ｍｍ、約５から約２５ｍｍ、約５から約２０ｍｍ、約５から約１５ｍｍ、約５から約１０ｍｍ、または少なくとも約１０ｍｍである。ある実施形態では、シェーディングユニット１１０は、それぞれのワイヤ１２０の全長にわたって広がる。
【００４１】
ある実施形態では、ワイヤ１２０へのシェーディングユニット１１０の取り付けは、ワイヤ１２０を所定の位置に吊るす／固定する前に、例えば、ワイヤ１２０が依然として地面に置かれている、または片側のみの固定点に吊るされている／固定されている間に、行われる。代替実施形態では、ワイヤ１２０へのシェーディングユニット１１０の取り付けは、ワイヤ１２０が所定の位置に吊るされた／固定された、および張られた後に、行われる。
【００４２】
上記の実施形態のいずれかによるシェーディングユニット１１０のそれぞれは、単一の吊りワイヤ１２０に取り付けられるように設計されている。従って、ある実施形態では、本発明のシステムは、それぞれ個々のシェーディングユニット１１０を吊りワイヤ１２０に吊り下げることを可能にするように設計された取付機構を、さらに備える。取付機構は、独立した機構、または任意的に共に製造されるそれぞれのシェーディングユニット１１０の一体部分であってよい（例えば、図９および１０参照）。そのような取付機構の非限定的例は、ワイヤ１２０が通過することができるシェーディングユニット１１０の孔、フック（図１０）、クランプなどである。
【００４３】
ワイヤ１２０に沿った／を横切るシェーディングユニット１１０の運動を防止するために、上記の実施形態のいずれかによるシェーディングユニット１１０は、ある実施形態では、一体停止機構をさらに含んでよく、ワイヤ１２０に取り付けられたときに摩擦を発生させてユニット１１０の運動を防止する、シェーディングユニット１１０が作製される材料の特有の折り目などである。代替的に、外付けストッパ１１４が使用されてよい。従って、ある実施形態では、システム１００は、１つ、２つ、またはそれ以上のストッパ１１４をさらに備え、それは、シェーディングユニット１１０を吊りワイヤ１２０に固定し、ワイヤ１２０に沿ったその動きを防止するように、設計されている。ある実施形態では、そのようなストッパ１１４は、ワイヤ１２０に、それが所定の位置に吊るされた／固定された、および張られた後に、およびシェーディングユニット１１０をそれに取り付けた後に、取り付けられてよい。特定の実施形態では、そのようなストッパ１１４は、シェーディングユニット１１０自体の一部を構成する。代替実施形態では、複数の吊りワイヤ１２０がネットを構成する場合、吊りワイヤ１２０を横切るシェーディングユニット１１０の動きの防止は、ネット内のワイヤ１２０の異なる交点でそれぞれのシェーディングユニット１１０を吊り下げる／取り付けることによって達成され、ネット内の交差するワイヤがコネクタ１２１間を通過し、ユニット１１０が横方向に摺動するのを防止しながら、それぞれのシェーディングユニット１１０が１つのワイヤに取り付けられるようになっている（例えば、図１１参照）。特定の実施形態では、そのような構成は、ユニット１１０の前方および／または後方への傾斜角度を制限することもできる。
【００４４】
本発明のシステム１００で使用されるワイヤ１２０は、任意の適切な材料から作製され、例えば、プラスチック、ロープ、金属などから作製されることができる。ワイヤ１２０は、壁、ポール、木などの適切な支持体に固定されるように設計される。従って、ある実施形態では、上記の実施形態のいずれによる本発明のシェーディングシステム１００は、吊りワイヤ１２０をそのような支持体に固定するための壁固定ユニットを、さらに備える。壁固定ユニットの種類および数は、ワイヤが固定されるように設計された支持体の種類に応じて、および吊り下げられるワイヤ１２０の数に応じて、変えることができる。
【００４５】
支持体は、張られたワイヤ１２０によって加えられる引張力に耐えるのに十分強くなければならない。可能な引張力を低減するために、ワイヤ１２０を支持体に固定するために使用される壁固定ユニットの一体機構として、または独立したユニット／機構として、ばねを使用することが可能である。従って、ある実施形態では、本発明のシェーディングシステム１００は、支持体に吊るされた／固定されたときにワイヤ１２０に加えられる引張力を排除／低減するように設計された吊りワイヤ１２０のそれぞれの一端または両端にあるばねを、さらに備える。
【００４６】
上記の実施形態のいずれか１つによるシステム１００のある実施形態では、複数の吊りワイヤ１２０は、遮光されるエリアにわたって吊り下げられるように設計されたネットの要素である。代替実施形態では、複数の（独立した）吊りワイヤ１２０は、例えば、遮光されるエリアにわたって互いに平行に（または本質的に平行に）吊り下げられるように設計される。ワイヤのネットの寸法、またはシェーディングシステム１００内のワイヤ１２０のそれぞれの量および長さは、必要および遮光されるエリアに応じて変更され得ることに、留意されたい。従って、ネットは、長方形、三角形、平行四辺形、円形などの、任意の形状および寸法を有することができる。
【００４７】
上記の実施形態のいずれか１つによるシステム１００のある実施形態では、少なくとも１つの吊りワイヤ１２０またはワイヤのネットは、金属ワイヤなどの、剛性であるが可撓性のワイヤから作られる。そのような構成により、複雑なエリアへのフレキシブルな設置が可能になり、吊りワイヤ１２０の長さ、寸法、および角度の簡単な調整が可能になる。代替実施形態では、ワイヤ１２０またはワイヤのネットは、鉄棒（任意的に鉄棒ネット）などの、剛性で非可撓性の材料で作られる。そのような構成は、ワイヤに対する圧力および引張効果を低減するが、より複雑な支持体および構造を必要とする。また、エリアへの適応の影響を受けにくい。それにもかかわらず、バルコニーおよびパーゴラなどの既存の構造が既に存在する場合には、それは好ましいかもしれない。
【００４８】
ある実施形態では、吊りワイヤ／ネット１２０は、地面から任意の角度で、例えば地面に平行でもそうでなくても、遮光されるエリアの上に吊り下げられるように設計される。特定の実施形態では、吊りワイヤ／ネット１２０の一部は、地面に本質的に平行に遮光されるエリア上に吊り下げられるように設計され、その残りは、例えば、日の出および日没の間の太陽光線の浸透を提供または防止するために、地面に対して斜めに吊り下げられるように設計される。特定の実施形態では、吊りワイヤ／ネット１２０は、地面に対して本質的に完全に斜めに吊り下げられるように設計される。吊り下げ角度は、太陽の方向および遮光の必要性に応じて決定される。
【００４９】
ある実施形態では、吊りワイヤ１２０の数および２つの隣り合うワイヤ１２０間の距離は、要望、遮光を必要とするエリアの寸法、および／または遮光要件／所望の密度に応じて変化し得る。上記の実施形態のいずれかのシェーディングシステム１００の特定の実施形態では、エリアにわたって張られる吊りワイヤ１２０の数は、２から５０以上であり、２つの隣り合うワイヤ１２０間の距離は、約１５ｃｍから約８０ｃｍ、約３０ｃｍから約７０ｃｍ、約４０ｃｍから約７０ｃｍ、約３０ｃｍから約６０ｃｍ、約４０ｃｍから約６０ｃｍ、または約５５ｃｍ、である。
【００５０】
別段の指示がない限り、本明細書で使用される全ての数字は、全ての場合において、用語「約」によって修正されるものと理解されるべきである。従って、反対に示されない限り、本明細書に記載される数値パラメータは、本発明によって得られる所望の特性に応じてプラスまたはマイナス１０％まで変化し得る近似値である。
【００５１】
ある実施形態では、本発明のシェーディングシステム１００は、（ａ）遮光されるエリア上に張り渡された複数の本質的に平行なワイヤ／ストリング１２０、および（ｂ）それぞれのワイヤ／ストリング１２０に取り付けられ、ワイヤ／ストリング１２０から（地面に向かって）垂れ下がる複数のシェーディングユニット１１０であって、それぞれのユニット１１０は、ある程度の回転運動を有し、例えば風が吹いたときに、ユニット１１０は、ワイヤ／ストリング１２０に接続されたままで、風の方向に自由に移動／傾斜する、複数のシェーディングユニット１１０、を備える。
【００５２】
本発明のシェーディングシステム１００の目的の１つは、強風や大きな重力の影響に左右されることなく、都市部を遮光することを提示することである。上記で説明したように、大きなシェーディングシートをエリアの上方に吊るすことは、構造全体を引き上げ／引き下げ、崩壊させる可能性のある強風の影響を受けやすい。これとは対照的に、このシェーディングシステム１００の構造は、構造全体を不安定にすることなく、また、それにモーメント力を加えることなく（または、標準的なシェーディングシートと比較して極端に低減されたモーメント力を加える）、風によってシェーディングユニット１１０を単に回転移動させる。
【００５３】
従って、上記の実施形態のいずれかのシステム１００およびシェーディングユニット１１０のある実施形態では、それぞれのシェーディングユニット１１０は、ヒンジをさらに備え、ヒンジは、ワイヤ１２０に取り付けられたときに、例えば風が吹いているときに、ワイヤ１２０上のユニット１１０の傾斜／回転／ぶら下がりを可能にする。代替実施形態では、システム１００は、シェーディングユニット１１０から独立し、シェーディングユニット１１０が取り付けられ、それを取り付けてワイヤ１２０に付けられ、それによってワイヤ１２０上のユニット１１０の傾斜／回転／ぶら下がりを可能にするようなヒンジを、さらに備える。
【００５４】
ある実施形態では、それぞれのシェーディングユニット１１０は、追加材料で覆われ、追加材料は、２つの調整ユニット１１０が傾斜時に互いを打つときに、および／または風がそれに吹くときに、発生する音を小さくするように、および／またはそれらの可動性およびそれらの傾斜を小さくするようにユニット１１０の重量を増加させるように、設計される。特定の実施形態では、それぞれのシェーディングユニット１１０は、可動性およびそれらの傾斜を小さくするようにその重量を増加させる重りを、さらに備える。
【００５５】
ワイヤ１２０上のシェーディングユニット１１０の傾斜／回転／ぶら下がりは、シェーディングシステム１００の下の熱負荷および湿気を低減する点でも有益であることに、留意されたい。図４Ａに示すように、ワイヤ１２０上に取り付けられたシェーディングユニット１１０間の空間のために、暖気は遮光エリアから自由に上方に移動することができ、それによって遮光エリアでの熱負荷も湿気も低減する。そのような高温気流の流れは、シェーディングユニット１１０が傾斜する／回転する／ぶら下がるとき（例えば、風が吹くことによる）に増加するかもしれず、それによって、遮光エリアでの熱負荷をさらに減少させる（図４Ｂ参照）。ある実施形態では、高温気流の上昇は、シェーディングユニット１１０が傾斜する／回転する／ぶら下がったりするようにする。
【００５６】
シェーディングユニット１１０の傾斜に関して本明細書で使用される「自由」という用語は、傾斜が手動または電子的に制御されず、空気（例えば、風または高温気流）の動きによって行われることを意味する。
【００５７】
ある実施形態では、本発明は、（ａ）一連のシェーディングユニットを作り出すように互いに連続的に接続されるように設計された複数のシェーディングユニット１１０であって、それぞれのシェーディングユニット１１０は、（ｉ）上側セクションおよび下側セクションであって、２つのセクション間のアーチ／角度が９１°から１７９°の間である、上側セクションおよび下側セクションと、（ｉｉ）任意的に、右側セクションおよび左側セクションであって、２つのセクション間のアーチ／角度が９１°から１７９°の間である、右側セクションおよび左側セクションと、を備える複数のシェーディングユニット１１０と、（ｂ）１つのシェーディングユニットを次のものまたは適切な支持体に接続するための複数の接続要素１１５と、を備える、シェーディングシステム１００をさらに提供する。特定の実施形態では、それぞれのシェーディングユニットは、少なくとも１つの接続要素を含み、単一のユニットを構成する。
【００５８】
特定の実施形態では、上記のシェーディングシステム１００は、適切な支持体に取り付けられる／接続されるときに加えられる引張力を排除／低減するように設計された一連のシェーディングユニット１１０のそれぞれの一端または両端にある少なくとも１つのばねを、さらに備える。
【００５９】
本発明の一実施形態によるシェーディングシステム１００を示す図７Ａ−７Ｃおよび８をこれから参照すると、システムは、接続要素１１５、ボルトまたはピンなどの固定手段１１６、またはラチェット機構などの任意の他の取付機構とによって連続的に互いに接続された独立したシェーディングユニット１１０を、備える。ある実施形態では、接続要素１１５は、シェーディングユニットの生成されたラインに、および吊るされたときに前後および横の動きに関してそれぞれのシェーディングユニット１１０に、フレキシビリティを与えることができる弾性または半剛性材料で作られている。そのようなフレキシビリティは、例えば風によって、加えられるモーメント力によるシェーディングユニットのラインの引き裂きを防止するのに役立つ。加えて、それぞれのシェーディングユニット１１０の動きのフレキシビリティは、それが風の中で傾くことを可能にし、ラインに加えられるモーメント力を減少させることも、上記で説明したように遮光領域を冷却するのを助けることも可能にする。
【００６０】
ある実施形態では、接続要素１１５は、取り付けられたシェーディングユニット１１０に動きのフレキシビリティを提供するように、ばねまたはばね状機構をさらに備える（例えば図３Ａ−３Ｃ参照）。
【００６１】
本発明の一実施形態によるシェーディングシステム１００を示す図９Ａ−９Ｃをこれから参照すると、システムは、一度吊るされると、前後および横の動きに関してそれぞれのシェーディングユニット１１０のフレキシビリティを可能にする可撓性／弾性／ばね状部分を有する一体型接続要素を介して連続的にワイヤ１２０のネットに接続された独立したシェーディングユニット１１０を備える。そのようなフレキシビリティは、例えば風によって、加えられるモーメント力によるネットのワイヤの引き裂きを防止するのに役立つ。加えて、それぞれのシェーディングユニット１１０の動きのフレキシビリティは、それが風の中で傾くことを可能にし、ラインに加えられるモーメント力を減少させることも、上記で説明したように遮光領域を冷却するのを助けることも可能にする。ワイヤ１２０のネットへのそれぞれのシェーディングユニット１１０の接続は、ボルトまたはピンのような固定手段、またはラチェット機構などの他の取付機構などの任意の適切な手段によって行われる。ある実施形態では、それぞれのシェーディングユニット１１０は、ワイヤ１２０のネット内のワイヤの１つにのみ取り付けられる／接続される。代替実施形態では、それぞれのシェーディングユニット１１０は、ネットのワイヤの１つの交点に取り付けられる／接続される。さらなる特定の実施形態では、シェーディングユニット１１０は、交点で交差するワイヤによってブロックされるため、ワイヤに沿って移動することができないように、ネットのワイヤの交点に取り付けられる／接続される（例えば、図１１Ａ参照）。
【００６２】
特に、シェーディングユニットのラインを形成するように共に接続されるシェーディングユニットの数は、覆われるエリアの長さに応じて変化する。特に、生成された遮光効果を制御するように、生成されたラインに沿って隣り合うシェーディングユニット１１０間に異なる距離を生成するために、異なる長さの接続要素を使用することが可能である。代替的に、または加えて、２つの接続要素１１５は、２つの連続するシェーディングユニット１１０間により大きな距離を生成するように、互いに接合されてよい。加えて、シェーディングユニットのラインの数は、覆われる／遮光されるエリアに従って決定され、ライン／ワイヤ間の距離は、シェーディングユニット１１０の寸法／幅および所望の遮光効果に従って決定される。
【００６３】
ある実施形態では、それぞれのシェーディングユニット１１０は、２つの平行なラインを生成するように２つの平行な接続要素１１５を用いて次のシェーディングユニット１１０に接続される（例えば図７Ｃ参照）。代替的に、それぞれのシェーディングユニット１１０は、単一のラインを生成するように単一のライン接続要素１１５を使用して次のシェーディングユニット１１０に接続される（例えば図８参照）。
【００６４】
本発明によるシェーディングシステム１００およびシェーディングユニット１１０の１つの可能な実施形態を示す図１０−１２をこれから参照する。示されるように、システム１００は、コネクタ１２１を介して連続的にワイヤ１２０のネットに接続された独立したシェーディングユニット１１０を備え、コネクタ１２１は、シェーディングユニット１１０の一体部分であり、それぞれのユニット１１０を他のユニットから独立して前後に動かすことができる。示されるように、シェーディングユニット１１０は、水平にも垂直にも湾曲した形状を有し、美的外観に加えて、遮光目的のための構造強度および重なりを補助するスプーン状の形態を作り出す。見られるように、それぞれのシェーディングユニット１１０は、風および熱が通る流路を可能にする穴／穿孔をさらに含む。穴のいくつかまたは全ては、風の捕捉およびユニット１１０の動き／傾斜を補助する部分的なカバーをその上に有することに、留意されたい（図１０Ｂおよび１１Ａ参照）。
【００６５】
本発明は、所望の本質的に水平なエリアを遮光する方法を提供し、その方法は以下のステップを含む：（ａ）太陽の移動方向に従って、本質的に互いに平行に、吊りワイヤ１２０のネット、または１つ以上の吊りワイヤ１２０を、吊り下げて張るステップと、（ｂ）上記の実施形態のいずれかによるシェーディングユニット１１０をネットまたはワイヤ１２０に取り付けるステップと、（ｃ）任意的に、例えばストッパ１１４を使用して、それぞれのシェーディングユニット１１０をワイヤ１２０に固定するステップ。
【００６６】
別の実施形態では、本発明は、本質的に水平なエリアを遮光する方法を提供し、その方法は以下のステップを含む：（ａ）シェーディングユニット１１０が吊りワイヤ１２０またはワイヤのネットにすでに取り付けられ／接続されているシェーディングシステム１００を提供するステップと、（ｂ）太陽の移動方向に従って互いに平行に１つ以上の吊りワイヤ１２０を、吊り下げて張るステップと、（ｃ）任意的に、必要に応じて追加のシェーディングユニット１１０をワイヤ１２０に取り付けるステップと、（ｄ）任意的に、例えばストッパ１１４を使用して、シェーディングユニット１１０のそれぞれをワイヤ１２０に固定するステップ。
【００６７】
本発明による方法のある実施形態では、シェーディングユニット１１０間の間隔は、遮光の必要性および所望の遮光範囲に従って決定される。図５、６Ａおよび６Ｂに示されるように、遮光率は、シェーディングユニット１１０間のスペースを変更することによって、単一の遮光エリア内で制御および変更されることができる。
【００６８】
本発明は、（ａ）一連のシェーディングユニットを作り出すように互いに連続的に接続されるように設計された複数のシェーディングユニット１１０であって、それぞれのシェーディングユニット１１０は、（ｉ）上側セクションおよび下側セクションであって、２つのセクション間のアーチ／角度が９１°から１７９°の間である、上側セクションおよび下側セクションと、（ｉｉ）任意的に、右側セクションおよび左側セクションであって、２つのセクション間のアーチ／角度が９１°から１７９°の間である、右側セクションおよび左側セクションと、を備える、複数のシェーディングユニット１１０と、（ｂ）１つのシェーディングユニットを次のものまたは適切な支持体に接続するための複数の接続要素１１５と、を備えるシェーディングシステム１００をさらに提供する。
【００６９】
上記のシステム１００の特定の実施形態では、複数の接続要素１１５の少なくとも１つは、複数のシェーディングユニット１１０のそれぞれのシェーディングユニット１１０の一体部分であり、その上側セクションに接続／配置される。
【００７０】
さらなる特定の実施形態では、上記のシステム１００は、（ｉ）適切な支持体に取り付けられる／接続されるときに加えられる引っ張り力を排除する／低減するように設計された一連のシェーディングユニットのそれぞれの一端または両端にあるばねと、（ｉｉ）それぞれのシェーディングユニット１１０と接続要素１１５との間のばね要素（特定の実施形態では、接続要素１１５はフレキシブルでありばね機構として働く）と、をさらに備える。
【００７１】
特定の実施形態では、本発明は、上記のシェーディングシステム１００を用いてエリアを遮光する方法を提供し、その方法は、以下のステップを含む：（ａ）上記のシェーディングシステムを提供するステップと、（ｂ）任意的に接続要素１１５および固定手段１１６を用いることによって、シェーディングユニット１１０のラインを作り出すようにシェーディングユニット１１０を順次接続するステップと、（ｃ）任意的に太陽の移動方向に従って、２つの適切な支持点の間で、シェーディングユニット１１０のラインを吊り下げて張るステップ。
【００７２】
ある実施形態では、２つの隣り合うシェーディングユニット間の距離および角度（例えば図３Ｃの角度α参照）は、遮光の必要性およびシェーディングユニットの寸法に応じて決定される。ある実施形態では、角度αは、４６°から８９°であり、５０、５５、６０、６５、７０、７５、８０または８５°などである。
【図１】
2020101074.tif 000003
【図２Ａ】
2020101074.tif 000004
【図２Ｂ】
2020101074.tif 000005
【図２Ｃ】
2020101074.tif 000006
【図２Ｄ】
2020101074.tif 000007
【図２Ｅ】
2020101074.tif 000008
【図２Ｆ】
2020101074.tif 000009
【図２Ｇ】
2020101074.tif 000010
【図３】
2020101074.tif 000011
【図４】
2020101074.tif 000012
【図５】
2020101074.tif 000013
【図６Ａ】
2020101074.tif 000014
【図６Ｂ】
2020101074.tif 000015
【図７Ａ】
2020101074.tif 000016
【図７Ｂ】
2020101074.tif 000017
【図７Ｃ】
2020101074.tif 000018
【図８】
2020101074.tif 000019
【図９】
2020101074.tif 000020
【図１０】
2020101074.tif 000021
【図１１Ａ】
2020101074.tif 000022
【図１１Ｂ】
2020101074.tif 000023
【図１２】
2020101074.tif 000024
【外国語明細書】
2020101074000001.pdf